(57)【特許請求の範囲】
【請求項１】
携帯端末と、前記携帯端末を収容する主装置と、を備えた内線電話システムであって、
前記携帯端末は、
ユーザから、通話相手の電話番号である相手番号の指定を伴う発信操作を受け付けた場合に、ＩＰ（Ｉｎｔｅｒｎｅｔ  Ｐｒｏｔｏｃｏｌ）網を介して前記主装置に当該相手番号を通知する相手番号通知手段と、
前記発信操作を受け付けた場合に、前記主装置の電話番号である主装置番号を発信先とする接続要求を携帯電話網に送信する発信手段と、を有し、
前記主装置は、
前記ＩＰ網を介して前記携帯端末から前記相手番号を受信する相手番号受信手段と、
前記携帯電話網から前記接続要求が着信した場合に、当該接続要求の発信元である前記携帯端末に接続応答を送信して、前記携帯電話網を介して当該携帯端末との間に通話路を確立する着信処理手段と、
前記接続要求が着信した場合に、前記相手番号受信手段により受信された前記相手番号を発信先とする接続要求を所定の電話網に送信して、当該電話網を介して前記通話相手との間に通話路を確立する発信処理手段と、
前記携帯端末との間に確立された前記通話路と、前記通話相手との間に確立された前記通話路とを接続して、前記携帯端末および前記通話相手間を中継する中継手段と、を有する
ことを特徴とする内線電話システム。
【請求項２】
請求項１に記載の内線電話システムであって、
前記相手番号通知手段は、
前記主装置との間に確立されたＨＴＴＰＳ（ＨｙｐｅｒＴｅｘｔ  Ｔｒａｎｓｆｅｒ  Ｐｒｏｔｏｃｏｌ  ｏｖｅｒ  ＳＳＬ／ＴＬＳ）セッションを介して前記相手番号を前記主装置に通知する
ことを特徴とする内線電話システム。
【請求項３】
請求項１または２に記載の内線電話システムであって、
前記相手番号通知手段は、
前記相手番号に、前記発信操作で前記相手番号とともに指定された前記電話網に付与された特番を付加して、前記ＩＰ網を介して前記主装置に、当該特番が付加された前記相手番号を通知し、
前記主装置は、
複数の前記電話網のそれぞれに対応して設けられ、対応する前記電話網に接続するためのゲートウェイと、
前記接続要求が着信した場合に、前記相手番号受信手段により受信された前記相手番号に付加されている前記特番により特定される前記ゲートウェイを選択するゲートウェイ選択手段と、をさらに有し、
前記発信処理手段は、
前記接続要求が着信した場合に、前記ゲートウェイ選択手段により選択された前記ゲートウェイを介して、当該ゲートウェイに対応する前記電話網に、前記相手番号を発信先とする接続要求を送信する
ことを特徴とする内線電話システム。
【請求項４】
携帯端末に内線電話サービスを提供する主装置であって、
ＩＰ（Ｉｎｔｅｒｎｅｔ  Ｐｒｏｔｏｃｏｌ）網を介して前記携帯端末から、通話相手の電話番号である相手番号を受信する相手番号受信手段と、
前記携帯端末の電話番号を発信元とする接続要求が携帯電話網から着信した場合に、当該携帯端末に接続応答を送信して、前記携帯電話網を介して当該携帯端末との間に通話路を確立する着信処理手段と、
前記接続要求が着信した場合に、前記相手番号受信手段により受信された前記相手番号を発信先とする接続要求を所定の電話網に送信して、当該電話網を介して前記通話相手との間に通話路を確立する発信処理手段と、
前記携帯端末との間に確立された前記通話路と、前記通話相手との間に確立された前記通話路とを接続して、前記携帯端末および前記通話相手間を中継する中継手段と、を有する
ことを特徴とする主装置。
【請求項５】
コンピュータで実行可能なプログラムであって、
前記プログラムは、
前記コンピュータを、携帯端末に内線電話サービスを提供する主装置として機能させ、
前記主装置は、
ＩＰ（Ｉｎｔｅｒｎｅｔ  Ｐｒｏｔｏｃｏｌ）網を介して前記携帯端末から通話相手の電話番号である相手番号を受信する相手番号受信手段と、
前記携帯端末の電話番号を発信元とする接続要求が携帯電話網から着信した場合に、当該携帯端末に接続応答を送信して、前記携帯電話網を介して当該携帯端末との間に通話路を確立する着信処理手段と、
前記接続要求が着信した場合に、前記相手番号受信手段により受信された前記相手番号を発信先とする接続要求を所定の電話網に送信して、当該電話網を介して前記通話相手との間に通話路を確立する発信処理手段と、
前記携帯端末との間に確立された前記通話路と、前記通話相手との間に確立された前記通話路とを接続して、前記携帯端末および前記通話相手間を中継する中継手段と、を有する
ことを特徴とするプログラム。
【請求項６】
携帯端末と、前記携帯端末を収容する主装置と、を備えた内線電話システムの発信方法であって、
前記携帯端末は、
ユーザから、通話相手の電話番号である相手番号の指定を伴う発信操作を受け付けた場合に、ＩＰ（Ｉｎｔｅｒｎｅｔ  Ｐｒｏｔｏｃｏｌ）網を介して前記主装置に当該相手番号を通知するとともに、前記主装置の電話番号である主装置番号を発信先とする接続要求を携帯電話網に送信し、
前記主装置は、
前記ＩＰ網を介して前記携帯端末から前記相手番号を受信し、
前記携帯電話網から前記接続要求が着信した場合に、当該接続要求の発信元である前記携帯端末に接続応答を送信して、前記携帯電話網を介して当該携帯端末との間に通話路を確立するとともに、当該携帯端末から受信した前記相手番号を発信先とする接続要求を所定の電話網に送信して、当該電話網を介して前記通話相手との間に通話路を確立し、
前記携帯端末との間に確立された前記通話路と、前記通話相手との間に確立された前記通話路とを接続して、前記携帯端末および前記通話相手間を中継する
ことを特徴とする内線電話システムの外線発信方法。
【発明の詳細な説明】
【技術分野】
【０００１】
本発明は、主装置が携帯電話網を介して携帯端末に内線電話サービスを提供する内線電話システムに関し、特に、この内線電話システムの発信処理技術に関する。
【背景技術】
【０００２】
近年、スマートホン等の携帯端末を用いた内線電話システムが知られている（例えば特許文献１）。この種の内線電話システムにおいて、主装置が携帯電話網を介して携帯端末に内線電話サービスを提供する場合、一般に、図９に示すようなシーケンスに従って発信処理を実施している。
【０００３】
すなわち、携帯端末８１は、通話相手の電話番号（相手番号）の指定を伴う発信操作をユーザから受け付けると（Ｓ５０）、内線電話サービスを提供する主装置８０の電話番号（主装置番号）を発信先とする接続要求を携帯電話網８２に送信する（Ｓ５１）。この接続要求は、携帯電話網８２を介して主装置８０に着信する。
【０００４】
これを受けて、主装置８０は、携帯電話網８２を介して携帯端末８１に接続応答を送信する（Ｓ５２）。これにより、携帯電話網８２を介して主装置８０と携帯端末８１との間に通話路が確立される（Ｓ５３）。それから、主装置８０は、確立された通話路を介して携帯端末８１にＤＴ（Ｄｉａｌ  Ｔｏｎｅ）信号を送信する（Ｓ５４）。
【０００５】
携帯端末８１は、主装置８０から通話路を介してＤＴ信号を受信すると、発信操作（Ｓ５０）によりユーザから受け付けた相手番号を表すＰＢ（Ｐｕｓｈ  Ｂｕｔｔｏｎ）信号を、この通話路に一桁ずつ順番に送信する（Ｓ５５）。
【０００６】
主装置８０は、携帯端末８１から通話路を介してＰＢ信号を受信すると、このＰＢ信号により特定される相手番号を発信先とする接続要求を所定の電話網８３に送信して（Ｓ５６）、電話網８３から接続応答を受信する（Ｓ５７）。これにより、電話網８３を介して、主装置８０と通話相手との間に通話路が確立され（Ｓ５８）、主装置８０は、携帯端末８１との間に確立された通話路と、通話相手との間に確立された通話路とを接続して、携帯端末８１および通話相手間を中継（電話交換）する（Ｓ５９）。
【先行技術文献】
【特許文献】
【０００７】
【特許文献１】特開２００８−１８７２２４号公報
【発明の概要】
【発明が解決しようとする課題】
【０００８】
上述したように、携帯電話網を介して携帯端末に内線電話サービスを提供する従来の内線電話システムでは、携帯端末と主装置との間に通話路を確立し、この通話路を介して携帯端末から主装置に、相手番号を表すＰＢ信号を一桁ずつ順番に送信することにより、携帯端末から主装置へ相手番号を通知している。このため、携帯端末のユーザが発信操作を行ってから通話相手が呼び出されるまでの時間が長いという問題がある。
【０００９】
本発明は上記事情に鑑みてなされたものであり、本発明の目的は、主装置が携帯電話網を介して携帯端末に内線電話サービスを提供する内線電話システムにおいて、携帯端末の発信処理時間を短縮することができる技術を提供することにある。
【課題を解決するための手段】
【００１０】
上記課題を解決するために、本発明では、主装置および携帯端末間を、携帯電話網に加えて、ＩＰ（Ｉｎｔｅｒｎｅｔ  Ｐｒｏｔｏｃｏｌ）網でも接続する。そして、携帯端末は、相手番号の指定を伴う発信操作をユーザから受け付けた場合に、ＩＰ網を介して主装置に相手番号を通知するとともに、主装置番号を発信先とする接続要求を携帯電話網に送信する。一方、主装置は、主装置番号を発信先とする接続要求を携帯端末から受信すると、接続応答を返信して、この携帯端末との間に通話路を確立するとともに、ＩＰ網を介してこの携帯端末から受信した相手番号を発信先とする接続要求を、所定の電話網へ送信する。そして、発信先から接続応答を受信して、この発信先との間に通話路が確立されたならば、この通話路を、携帯端末との間に確立された通話路に接続する。
【００１１】
例えば、本発明の内線電話システムは、
携帯端末と、前記携帯端末を収容する主装置と、を備えた内線電話システムであって、
前記携帯端末は、
ユーザから、通話相手の電話番号である相手番号の指定を伴う発信操作を受け付けた場合に、ＩＰ（Ｉｎｔｅｒｎｅｔ  Ｐｒｏｔｏｃｏｌ）網を介して前記主装置に当該相手番号を通知する相手番号通知手段と、
前記発信操作を受け付けた場合に、前記主装置の電話番号である主装置番号を発信先とする接続要求を携帯電話網に送信する発信手段と、を有し、
前記主装置は、
前記ＩＰ網を介して前記携帯端末から前記相手番号を受信する相手番号受信手段と、
前記携帯電話網から前記接続要求が着信した場合に、当該接続要求の発信元である前記携帯端末に接続応答を送信して、前記携帯電話網を介して当該携帯端末との間に通話路を確立する着信処理手段と、
前記接続要求が着信した場合に、前記相手番号受信手段により受信された前記相手番号を発信先とする接続要求を所定の電話網に送信して、当該電話網を介して前記通話相手との間に通話路を確立する発信処理手段と、
前記携帯端末との間に確立された前記通話路と、前記通話相手との間に確立された前記通話路とを接続して、前記携帯端末および前記通話相手間を中継する中継手段と、を有する。
【００１２】
また、本発明の主装置は、
携帯端末に内線電話サービスを提供する主装置であって、
ＩＰ（Ｉｎｔｅｒｎｅｔ  Ｐｒｏｔｏｃｏｌ）網を介して前記携帯端末から、通話相手の電話番号である相手番号を受信する相手番号受信手段と、
携帯電話網から前記携帯端末の電話番号を発信元とする接続要求が着信した場合に、当該携帯端末に接続応答を送信して、前記携帯電話網を介して当該携帯端末との間に通話路を確立する着信処理手段と、
前記接続要求が着信した場合に、前記相手番号受信手段により受信された前記相手番号を発信先とする接続要求を所定の電話網に送信して、当該電話網を介して前記通話相手との間に通話路を確立する発信処理手段と、
前記携帯端末との間に確立された前記通話路と、前記通話相手との間に確立された前記通話路とを接続して、前記携帯端末および前記通話相手間を中継する中継手段と、を有する。
【発明の効果】
【００１３】
本発明では、ＩＰ網を介して携帯端末から主装置に相手番号を通知するので、主装置および携帯端末間に確立された通話路を介して、相手番号を表すＰＢ信号を携帯端末から主装置へ一桁ずつ順番に送信する必要がない。このため、従来に比べて、携帯端末のユーザが発信操作を行ってから通話相手を呼び出すまでの時間を短縮することができる。したがって、本発明によれば、主装置が携帯電話網を介して携帯端末に内線電話サービスを提供する内線電話システムにおいて、携帯端末の発信処理時間を短縮することができる。
【図面の簡単な説明】
【００１４】
【図１】図１は、本発明の一実施の形態に係る内線電話システムの概略構成図である。
【図２】図２は、本発明の一実施の形態に係る内線電話システムの発信動作を説明するためのシーケンス図である。
【図３】図３は、主装置１の概略構成図である。
【図４】図４は、端末情報記憶部１３の登録内容例を模式的に表した図である。
【図５】図５は、特番情報記憶部１４の登録内容例を模式的に表した図である。
【図６】図６は、主装置１の発信処理を説明するためのフロー図である。
【図７】図７は、携帯端末３の概略構成図である。
【図８】図８は、携帯端末３の発信処理を説明するためのフロー図である。
【図９】図９は、主装置８０が携帯電話網８２を介して携帯端末８１に内線電話サービスを提供する従来の内線電話システムの発信動作を説明するためのシーケンス図である。
【発明を実施するための形態】
【００１５】
以下に、本発明の一実施の形態について図面を参照して説明する。
【００１６】
図１は、本実施の形態に係る内線電話システムの概略構成図である。
【００１７】
図示するように、本実施の形態に係る内線電話システムは、スマートホン等の携帯端末３と、携帯端末３に内線電話サービスを提供する主装置１と、を備えている。携帯端末３は、基地局２を介して携帯電話網４およびＩＰ網５と接続されている。主装置１は、携帯電話網４、ＩＰ網５、および、それぞれ異なる電気通信事業者が提供する複数の電話網６−１〜６−ｎ（以下、単に電話網６とも呼ぶ）と接続されている。
【００１８】
図２は、本実施の形態に係る内線電話システムの発信動作を説明するためのシーケンス図である。
【００１９】
まず、携帯端末３は、通話相手の電話番号（相手番号）および利用する電話網６の指定を伴う発信操作をユーザから受け付けると（Ｓ１０）、ＩＰ網５を介して主装置１にＨＴＴＰＳ（ＨｙｐｅｒＴｅｘｔ  Ｔｒａｎｓｆｅｒ  Ｐｒｏｔｏｃｏｌ  ｏｖｅｒ  ＳＳＬ／ＴＬＳ）接続要求を送信する（Ｓ１１）。
【００２０】
これを受けて、主装置１は、ＨＴＴＰＳ接続要求の送信元である携帯端末３に接続応答を送信する（Ｓ１２）。これにより、ＩＰ網５を介して、主装置１および携帯端末３間にＨＴＴＰＳのセッションが確立される。それから、携帯端末３は、ユーザから受け付けた発信操作で指定された相手番号に、この発信操作で指定された電話網６に付与された特番を付加して、この特番＋相手番号を含むＨＴＴＰのＰＯＳＴリクエストをＨＴＴＰＳのセッションを介して主装置１に送信する（Ｓ１３）。
【００２１】
これを受けて、主装置１は、ＰＯＳＴリクエストの送信元である携帯端末３に応答レスポンスを送信する。つぎに、携帯端末３は、主装置１の電話番号（主装置番号）を発信先とする接続要求を携帯電話網４に送信する（Ｓ１４）。この接続要求は、携帯電話網４を介して主装置１に着信する。
【００２２】
これを受けて、主装置１は、携帯電話網４を介して携帯端末３に接続応答を送信する（Ｓ１５）。これにより、携帯電話網４を介して主装置１と携帯端末３との間に通話路が確立される（Ｓ１６）。それから、主装置１は、電話網６毎に設けられたゲートウェイ１２０（図３参照）のなかから、携帯端末３より受信したＰＯＳＴリクエストに含まれている特番が付与された電話網６と接続するゲートウェイ１２０を選択する（Ｓ１７）。
【００２３】
つぎに、主装置１は、選択したゲートウェイ１２０を用いて、携帯端末３より受信したＰＯＳＴリクエストに含まれている特番が付与された電話網６に、このＰＯＳＴリクエストに含まれている相手番号を発信先とする接続要求を送信し（Ｓ１８）、この電話網６から接続応答を受信する（Ｓ１９）。これにより、電話網６を介して、主装置１と通話相手との間に通話路が確立され（Ｓ２０）、主装置１は、携帯端末３との間に確立された通話路と、通話相手との間に確立された通話路とを接続して、携帯端末３および通話相手間を中継（電話交換）する（Ｓ２１）。
【００２４】
つぎに、本実施の形態に係る内線電話システムを構成する主装置１および携帯端末３の詳細を説明する。
【００２５】
まず、主装置１について説明する。
【００２６】
図３は、主装置１の概略構成図である。
【００２７】
図示するように、主装置１は、ＩＰ網インターフェース部１０と、携帯電話網インターフェース部１１と、ゲートウェイ群１２と、端末情報記憶部１３と、特番情報記憶部１４と、相手番号受信部１５と、ゲートウェイ選択部１６と、着信処理部１７と、発信処理部１８と、中継部１９と、主制御部２０と、を備えている。
【００２８】
ＩＰ網インターフェース部１０は、ＩＰ網５に接続するためのインターフェースであり、携帯電話網インターフェース部１１は、携帯電話網４に接続するためのインターフェースである。
【００２９】
ゲートウェイ群１２は、電話網６−１〜６−ｎのそれぞれに対応して設けられた複数のゲートウェイ１２０−１〜１２０−ｎ（以下、単にゲートウェイ１２０とも呼ぶ）を有する。ゲートウェイ１２０は、対応する電話網６−１〜６−ｎに接続するためのインターフェースである。
【００３０】
端末情報記憶部１３には、主装置１が収容する携帯端末３の情報が記憶されている。
【００３１】
図４は、端末情報記憶部１３の登録内容例を模式的に表した図である。
【００３２】
図示するように、端末情報記憶部１３には、主装置１が収容する携帯端末３毎に、端末情報のレコード１３０が記憶されている。端末情報のレコード１３０は、携帯端末３の電話番号が登録されたフィールド１３１と、ユーザ名を含むユーザ情報が登録されたフィールド１３２と、ＩＰアドレスが登録されたフィールド１３３と、携帯端末３から受信した特番を登録するためのフィールド１３４と、携帯端末３から受信した相手番号を登録するためのフィールド１３５と、を有する。
【００３３】
特番情報記憶部１４には、電話網６−１〜６−ｎに付与された特番の情報が記憶されている。
【００３４】
図５は、特番情報記憶部１４の登録内容例を模式的に表した図である。
【００３５】
図示するように、特番情報記憶部１４には、特番毎に、特番情報のレコード１４０が記憶されている。特番情報のレコード１４０は、特番が登録されたフィールド１４１と、この特番が付与された電話網６の情報が登録されたフィールド１４２と、この特番が付与された電話網６に接続するゲートウェイ１２０の情報が登録されたフィールド１４３と、を有する。
【００３６】
相手番号受信部１５は、ＩＰ網インターフェース部１０を介して携帯端末３から、ＨＴＴＰＳ接続要求、および、特番が付加された相手番号を含むＨＴＴＰのＰＯＳＴリクエストを受信する。
【００３７】
ゲートウェイ選択部１６は、特番情報記憶部１４を参照し、相手番号受信部１５が携帯端末３から受信した相手番号に付加されている特番に対応するゲートウェイ１２０を、ゲートウェイ群１２から選択する。
【００３８】
着信処理部１７は、携帯電話網インターフェース部１１を介して、携帯電話網４から携帯端末３の電話番号を発信元とする接続要求が着信した場合に、携帯端末３に接続応答を送信して、携帯電話網４を介して携帯端末３との間に通話路を確立する。
【００３９】
発信処理部１８は、携帯電話網インターフェース部１１を介して携帯電話網４から携帯端末３の電話番号を発信元とする接続要求が着信した場合に、相手番号受信部１５が携帯端末３から受信した相手番号を発信先とする接続要求を、ゲートウェイ選択部１６により選択されたゲートウェイ１２０を介して、相手番号受信部１５が携帯端末３から受信した特番に対応する電話網６に送信して、この電話網６を介して通話相手との間に通話路を確立する。
【００４０】
中継部１９は、着信処理部１７によって携帯端末３との間に確立された通話路と、発信処理部１８によって通話相手との間に確立された通話路とを接続して、携帯端末３および通話相手間を中継（電話交換）する。
【００４１】
そして、主制御部２０は、主装置１の各部１０〜１９を統括的に制御する。
【００４２】
図６は、主装置１の発信処理を説明するためのフロー図である。
【００４３】
このフローは、相手番号受信部１５が、携帯端末３からＩＰ網インターフェース部１０を介してＨＴＴＰＳ接続要求を受信することにより開始される。
【００４４】
まず、相手番号受信部１５は、ＩＰ網インターフェース部１０を介して携帯端末３に接続応答を送信して、携帯端末３との間にＨＴＴＰＳセッションを確立する（Ｓ１００）。それから、相手番号受信部１５は、このＨＴＴＰＳセッションを介して携帯端末３から、ＨＴＴＰのＰＯＳＴリクエストが送られてくるのを待つ（Ｓ１０１）。
【００４５】
つぎに、相手番号受信部１５は、携帯端末３からＰＯＳＴリクエストを受信すると（Ｓ１０１でＹＥＳ）、このＰＯＳＴリクエストに含まれている特番および相手番号を、携帯端末３のＩＰアドレスとともに主制御部２０に通知する。
【００４６】
これを受けて、主制御部２０は、相手番号受信部１５から受け取った携帯端末３のＩＰアドレスがフィールド１３３に登録されている端末情報のレコード１３０を端末情報記憶部１３から検索する。そして、検索した端末情報のレコード１３０のフィールド１３４、１３５に、相手番号受信部１５から受け取った特番および相手番号をそれぞれ登録する（Ｓ１０２）。
【００４７】
つぎに、着信処理部１７は、携帯電話網インターフェース部１１を介して携帯電話網４から、主装置番号を発信先とし、携帯端末３の電話番号を発信元とする接続要求が着信すると（Ｓ１０３でＹＥＳ）、携帯電話網インターフェース部１１および携帯電話網４を介してこの携帯端末３に接続応答を送信し、主装置１とこの携帯端末３との間に通話路を確立する（Ｓ１０４）。また、この携帯端末３の電話番号を主制御部２０に通知する。
【００４８】
これを受けて、主制御部２０は、着信処理部１７から受け取った携帯端末３の電話番号がフィールド１３１に登録されている端末情報のレコード１３０を端末情報記憶部１３から検索する。そして、検索した端末情報のレコード１３０のフィールド１３４、１３５に登録されている特番および相手番号を取得する。それから、主制御部２０は、取得した特番をゲートウェイ選択部１６に通知して、ゲートウェイ１２０の選択を指示する。
【００４９】
つぎに、ゲートウェイ選択部１６は、主制御部２０から受け取った特番がフィールド１４１に登録されている特番情報のレコード１４０を特番情報記憶部１４から検索する。そして、検索した特番情報のレコード１４０のフィールド１４３に登録されている情報により特定されるゲートウェイ１２０をゲートウェイ群１２から選択する（Ｓ１０５）。
【００５０】
つぎに、主制御部２０は、取得した相手番号および携帯端末３の電話番号を、ゲートウェイ選択部１６により選択されたゲートウェイ１２０とともに発信処理部１８に通知する。これを受けて、発信処理部１８は、主制御部２０により通知されたゲートウェイ１２０を介して、このゲートウェイ１２０に接続している電話網６に、相手番号を発信先とし、携帯端末３の電話番号を発信元とする接続要求を送信する（Ｓ１０６）。それから、発信処理部１８は、このゲートウェイ１２０を介して接続要求の発信先である通話相手から接続応答を受信して、この通話相手との間に通話路を確立する（Ｓ１０７）。また、相手番号を、通話相手との通話路が確立された電話網と接続するゲートウェイ１２０の情報とともに主制御部２０に通知する。
【００５１】
つぎに、主制御部２０は、着信処理部１７より通知された携帯端末３の電話番号と、発信処理部１８より通知された相手番号およびゲートウェイ１２０の情報と、を中継部１９に通知する。これを受けて、中継部１９は、携帯電話網インターフェース部１１を介して携帯端末３との間に確立された通話路と、発信処理部１８により通知されたゲートウェイ１２０を介して通話相手との間に確立された通話路と、を接続して、携帯端末３および通話相手間を中継（電話交換）する（Ｓ１０８）。
【００５２】
つぎに、携帯端末３について説明する。
【００５３】
図７は、携帯端末３の概略構成図である。
【００５４】
図示するように、携帯端末３は、ＩＰ網インターフェース部３０と、携帯電話網インターフェース部３１と、マンマシンインターフェース部３２と、電話機能部３３と、相手番号通知部３４と、主制御部３５と、を備えている。
【００５５】
ＩＰ網インターフェース部３０は、ＩＰ網５に接続するためのインターフェースであり、携帯電話網インターフェース部３１は携帯電話網４に接続するためのインターフェースである。
【００５６】
マンマシンインターフェース部３２は、ユーザに情報を提示したり、ユーザから情報の入力を受け付けたり、ユーザが電話したりするためのインターフェースであり、例えば、タッチパッド等の入力装置と、液晶ディスプレイ等の表示装置と、ハンドセット等の音声入出力装置と、を有している。
【００５７】
電話機能部３３は、電話機として機能するために必要な処理を実施する。具体的には、所定の呼制御プロトコルに従って携帯電話網４と呼制御メッセージを送受信することにより、通話相手との間に通話路を確立したり、確立された通話路を解放したりする。また、所定の伝送プロトコルに従い、確立されている通話路を介して通話相手と音声通話を実施する。
【００５８】
相手番号通知部３４は、ＩＰ網インターフェース部３０を介して主装置１に、マンマシンインターフェース部３２を介してユーザから受け付けた発信操作により特定される特番および相手番号を含む、ＨＴＴＰのＰＯＳＴリクエストを送信する。
【００５９】
そして、主制御部３５は、携帯端末３の各部３０〜３４を統括的に制御する。
【００６０】
図８は、携帯端末３の発信処理を説明するためのフロー図である。
【００６１】
このフローは、マンマシンインターフェース部３２が、相手番号および利用する電話網６の指定を伴う発信操作をユーザから受け付けることにより開始される。
【００６２】
まず、主制御部３５は、マンマシンインターフェース部３２を介してユーザから受け付けた発信操作で指定された電話網６に付与されている特番を特定する。それから、主制御部３５は、発信操作で指定された相手番号を、この特番とともに相手番号通知部３４に通知する。これを受けて、相手番号通知部３４は、ＩＰ網インターフェース部３０を介して主装置１にＨＴＴＰＳ接続要求を送信する（Ｓ２００）。そして、ＩＰ網インターフェース部３０を介して主装置１から接続応答を受信し、ＩＰ網５を介して主装置１との間にＨＴＴＰＳセッションが確立したならば（Ｓ２０１）、相手番号に特番を付加し、この特番が付加された相手番号を含むＨＴＴＰのＰＯＳＴリクエストを、確立されたＨＴＴＰＳセッションを介して主装置１に送信する（Ｓ２０２）。
【００６３】
つぎに、主制御部３５は、主装置１への発信を電話機能部３３に指示する。これを受けて、電話機能部３３は、携帯電話網インターフェース部３１を介して携帯電話網４に、発信先を主装置番号とする接続要求を送信する（Ｓ２０３）。そして、携帯電話網インターフェース部３１を介して携帯電話網４から接続応答を受信することにより、主装置１との間に通話路が確立される（Ｓ２０４）。その後、主装置１において、主装置１および携帯端末３間に確立された通話路と、主装置１および通話相手間に確立された通話路とが接続されて両通話路が中継されることにより、携帯端末３と通話相手との通話が可能となる（Ｓ２０５）。
【００６４】
以上、本発明の一実施の形態を説明した。
【００６５】
本実施の形態では、ＩＰ網５を介して携帯端末３から主装置１に相手番号を通知するので、携帯電話網４を介して主装置１および携帯端末３間に確立された通話路を介して、相手番号を表すＰＢ信号を携帯端末３から主装置１へ一桁ずつ順番に送信する必要がない。このため、従来に比べて、携帯端末３のユーザが発信操作を行ってから通話相手を呼び出すまでにかかる時間を短縮することができる。したがって、本実施の形態によれば、主装置１が携帯電話網４を介して携帯端末３に内線電話サービスを提供する内線電話システムにおいて、携帯端末３からの発信処理時間を短縮することができる。
【００６６】
また、本実施の形態において、携帯端末３は、主装置１との間にＨＴＴＰＳセッションを確立し、このＨＴＴＰＳセッションを介して主装置１に相手番号を通知するので、安全かつ確実に相手番号を主装置１に通知することができる。
【００６７】
また、本実施の形態において、携帯端末３は、発信操作により相手番号とともに指定された電話網６に付与された特番を相手番号に付加して、この特番が付加された相手番号を、ＩＰ網５を介して主装置１に通知している。そして、主装置１は、携帯端末３から受信した相手番号に付加された特番に基づいてゲートウェイ群１２からゲートウェイ１２０を選択し、選択したゲートウェイ１２０を介して電話網６に、相手番号を発信先とする接続要求を送信する。このため、携帯端末３は、主装置１が提供する内線電話サービスを利用して、例えば、異なる電気通信事業者が提供する複数の電話網６に発信することができる。
【００６８】
なお、本発明は上記の実施の形態に限定されるものではなく、その要旨の範囲内で数々の変形が可能である。
【００６９】
例えば、上記の実施の形態において、図３に示す主装置１の機能構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるものでもよいし、あるいはＤＳＰ（Ｄｉｇｉｔａｌ  Ｓｉｇｎａｌ  Ｐｒｏｃｅｓｓｏｒ）等の計算機によりソフトウエア的に実現されるものでもよい。または、ＣＰＵ、メモリ、ＨＤＤ等の補助記憶装置、およびＮＩＣ（Ｎｅｔｗｏｒｋ  Ｉｎｔｅｒｆａｃｅ  Ｃａｒｄ）、電話回線ボード等の通信インターフェースを備えたＰＣ（Ｐｅｒｓｏｎａｌ  Ｃｏｍｐｕｔｅｒ）の汎用コンピュータにおいて、ＣＰＵが所定のプログラムを補助記憶装置からメモリ上にロードして実行することで実現されるものでもよい。
【００７０】
また、図７に示す携帯端末３の機能構成も、主装置１と同様に、ＡＳＩＣ、ＦＰＧＡなどの集積ロジックＩＣによりハード的に実現されるものでもよいし、あるいはＤＳＰなどの計算機によりソフトウエア的に実現されるものでもよい。または、ＣＰＵ、メモリ、フラッシュメモリ等の補助記憶装置、および無線モジュール等の通信インターフェースを備えたスマートホン等の携帯型コンピュータにおいて、ＣＰＵが所定のプログラムを補助記憶装置からメモリ上にロードして実行することで実現されるものでもよい。
【００７１】
また、上記の実施の形態では、ＨＴＴＰのＰＯＳＴリスエストを利用して、携帯端末３から主装置１に相手番号を通知しているが、本発明はこれに限定されない。例えばＨＴＴＰのＧＥＴリクエストを利用して、あるいは独自プロトコルに従って、携帯端末３から主装置１に相手番号を通知するようにしてもかまわない。
【００７２】
また、上記の実施の形態において、電話網６−１〜６−ｎの一つが携帯電話網４であってもよい。また、電話網６は、一つであってもかまわない。この場合、ゲートウェイ群１２に含まれるゲートウェイ１２０は一つでよい。また、携帯端末３から主装置１に通知される相手番号に付加する特番を省略することができる。
【符号の説明】
【００７３】
１：主装置    ２：基地局    ３：携帯端末    ４：携帯電話網
５：ＩＰ網    ６、６−１〜６−ｎ：電話網
１０：ＩＰ網インターフェース部    １１：携帯電話網インターフェース部
１２：ゲートウェイ群    １３：端末情報記憶部    １４：特番情報記憶部
１５：相手番号受信部    １６：ゲートウェイ選択部
１７：着信処理部    １８：発信処理部    １９：中継部
２０：主制御部    ３０：ＩＰ網インターフェース部
３１：携帯電話網インターフェース部
３２：マンマシンインターフェース部
３３：電話機能部    ３４：相手番号通知部
３５：主制御部    １２０−１〜１２０−ｎ：ゲートウェイ
【要約】      （修正有）【課題】携帯電話網を介して携帯端末に内線電話サービスを提供する内線電話システムにおいて、携帯端末の発信処理時間を短縮する技術を提供する。【解決手段】内線電話システムにおいて、主装置１及び携帯端末３間を、携帯電話網４に加えてＩＰ網５でも接続する。携帯端末３は、相手番号の指定を伴う発信操作をユーザから受け付けた場合に、ＩＰ網５を介して主装置１に相手番号を通知するとともに、携帯電話網４に、主装置番号を発信先とする接続要求を送信する。主装置１は、主装置番号を発信先とする接続要求を携帯端末３から受信すると、接続応答を返信して携帯端末３との間に通話路を確立するとともに、ＩＰ網５を介して携帯端末３から受信した相手番号を発信先とする接続要求を所定の電話網６−１〜６−ｎへ送信する。そして、発信先との間に通話路が確立されたならば、この通話路を、携帯端末３との間に確立された通話路に接続する。【選択図】図１【図１】
0006683285.tif 000002
【図２】
0006683285.tif 000003
【図３】
0006683285.tif 000004
【図４】
0006683285.tif 000005
【図５】
0006683285.tif 000006
【図６】
0006683285.tif 000007
【図７】
0006683285.tif 000008
【図８】
0006683285.tif 000009
【図９】
0006683285.tif 000010